(57)【要約】  ＩＯＬ（眼内レンズ）射出システムは、ＩＯＬ射出器と；ＩＯＬを保持するＩＯＬホルダと；ＩＯＬを保持するＩＯＬホルダを保持するＩＯＬホルダコンテナと、を含む。ＩＯＬ射出器は、射出チャンネルとそのチャンネルの下方で移動可能なプランジャーと；ＩＯＬホルダをスナップするように受容するＩＯＬホルダ受容スペースであって、ＩＯＬホルダにはチャンネル部分が備えられ、そのチャンネル部分はそのチャンネル部分を通過する実質的にまっすぐなチャンネルを有し、ＩＯＬホルダが射出チャンネルに沿ってＩＯＬ射出器の受容スペースにスナップされると、そのＩＯＬホルダのチャンネルはＩＯＬ射出器の射出チャンネルの部分を形成し、ＩＯＬを保持する際はそのＩＯＬはＩＯＬホルダのチャンネルの中に供給され；反対側の開口部であって、動作中、プランジャーにＩＯＬをＩＯＬホルダの外に促し、その射出チャンネルを通してＩＯＬを通過させることが可能になる。ＩＯＬホルダコンテナは、保存液と、ＩＯＬを保持するＩＯＬホルダとを保持する容器と；ＩＯＬホルダの反対側開口部を閉じる、容器内の閉壁と；ＩＯＬホルダを保持する、容器内の保持部とを有する。上記のＩＯＬ射出システムを用いて、ＩＯＬ射出器にＩＯＬを供給する方法は、ＩＯＬホルダコンテナを開くステップと；ＩＯＬを保持するＩＯＬホルダをつかみ、それをＩＯＬホルダコンテナから取り出すステップと；ＩＯＬを保持するＩＯＬホルダをＩＯＬ射出器の受容スペース内に位置付けるステップとを含む。
2013536004.tif 000002
【特許請求の範囲】
【請求項１】
ＩＯＬ（眼内レンズ）射出システムであって：
―  ＩＯＬ射出器と；
―  ＩＯＬを保持するＩＯＬホルダと；
―  ＩＯＬを保持する前記ＩＯＬホルダを保持するＩＯＬホルダコンテナと、を含み、
前記ＩＯＬ射出器は：
―  射出チャンネルと前記射出チャンネルの下へ移動可能なプランジャーと；
―  前記ＩＯＬホルダをスナップするように受容するＩＯＬホルダ受容スペースと、を含み、
前記ＩＯＬホルダには：
―  チャンネル部分であって、前記チャンネル部分を通過する実質的にまっすぐなチャンネルを備え、前記ＩＯＬホルダが前記射出チャンネルに沿って前記ＩＯＬ射出器の前記受容スペースにスナップされると前記ＩＯＬホルダの前記チャンネルは前記ＩＯＬ射出器の前記射出チャンネルの部分を形成し、前記ＩＯＬを保持すると前記ＩＯＬは前記ＩＯＬホルダの前記チャンネルの中に供給される、チャンネル部分と；
―  反対側開口部であって、動作中、前記プランジャーが前記ＩＯＬを前記ＩＯＬホルダの外に促して前記射出チャンネルを通すことを可能にする、反対側開口部と、を含み、
前記ＩＯＬホルダコンテナは：
―  保存液とＩＯＬを保持する前記ＩＯＬホルダとを保持する容器と；
―  前記ＩＯＬホルダの前記反対側開口部を閉じる、前記容器内の閉壁と；
―  前記ＩＯＬホルダを保持する、前記容器内の保持部と、を含む、
システム。
【請求項２】
前記ＩＯＬ射出器は射出端部を有し、その射出端部には射出ノズルと前記射出ノズルの上流に折畳み手段とが備えられ、前記ＩＯＬを折畳み又はロールするように供給される、請求項１記載のＩＯＬ射出システム。
【請求項３】
前記ＩＯＬホルダは、前記端部の上流の端面に適合する下流の端面を有し、そうして、実質的に連続的な射出チャンネルを供給する、請求項２に記載のＩＯＬ射出システム。
【請求項４】
前記ＩＯＬホルダは、前記ＩＯＬ射出器内のスロットに適合する位置決めカムを有し、前記ＩＯＬホルダ受容スペース内で位置を定義する、請求項１乃至３の何れか１項に記載のＩＯＬ射出システム。
【請求項５】
前記ＩＯＬホルダは、前記チャンネルを備えたチューブ状部分を有する、請求項１乃至４の何れか１項に記載のＩＯＬ射出システム。
【請求項６】
前記チューブ状部分はまっすぐで平坦な面を有し、前記チューブ状部分から伸びるグリップ用のハンドルを有する、請求項１乃至５の何れか１項に記載のＩＯＬ射出システム。
【請求項７】
前記ＩＯＬ射出器はクッションを更に含み、前記クッションは前記プランジャーの前方で射出チャンネル内の前記受容スペースの上流でスライディングするように供給され、前記クッションはソフトな弾性素材、例えば独立気泡ポリエステルフォーム、シリコン・ゴム、又は熱可塑性エラストマー（ＴＰＥ）で作られ、前記ＩＯＬホルダの実質的にまっすぐなチャンネルの横断面に適合する横断面を有し、動作中、ＩＯＬを促して前記射出チャンネルを通す、請求項１乃至６の何れか１項に記載のＩＯＬ射出システム。
【請求項８】
前記クッションには潤滑コーティング層、例えば摩擦低減潤滑コーティング層が供給される、請求項１乃至７の何れか１項に記載のＩＯＬ射出システム。
【請求項９】
前記ＩＯＬホルダはグリップ部分を更に含み、前記ＩＯＬホルダが前記容器内の前記保持部によって保持されるとき、前記グリップ部分は前記ＩＯＬホルダコンテナの前記容器の中で又はそこから伸び、前記ＩＯＬホルダコンテナは前記ＩＯＬホルダの前記グリップ部分の反対側に前記容器に指開口部を含み、そうして、前記グリップ部分へのアクセスを供給する、請求項１乃至８の何れか１項に記載のＩＯＬ射出システム。
【請求項１０】
前記ＩＯＬホルダコンテナには前記容器をシールするシールが備えられる、請求項１乃至９の何れか１項に記載のＩＯＬ射出システム。
【請求項１１】
前記ＩＯＬホルダコンテナを保持する別のコンテナを含み、前記別のコンテナは底面と前記底面から伸びる壁を含み、前記ＩＯＬホルダコンテナは前記底面で前記シールの上にのり、前記シールの反対に伸びるグリップ部を有し、そうして、前記別のコンテナに触れることなく前記ＩＯＬホルダコンテナをつかむ、請求項１０のＩＯＬ射出システム。
【請求項１２】
前記ＩＯＬホルダコンテナは前記容器の周囲にシーリングリムと、前記シーリングリムから下方に伸び、前記容器の底面まで少なくとも伸びる周方向の壁とを含み、前記容器の外側と前記周方向の壁の内側面との間のスペースを充分に広くしてユーザの指が前記スペースの間で休めて前記容器の外側をつかむようにし、そして、前記容器に前記ＩＯＬホルダコンテナの前記グリップ部分を作る、請求項１１のＩＯＬ射出システム。
【請求項１３】
請求項１乃至１２の何れか１項に記載のＩＯＬ射出システムの一部として述べられるＩＯＬ射出器。
【請求項１４】
請求項１乃至１２の何れか１項に記載のＩＯＬ射出システムの一部として述べられるＩＯＬホルダ。
【請求項１５】
請求項１乃至１２の何れか１項に記載のＩＯＬ射出システムの一部として述べられるＩＯＬホルダコンテナ。
【請求項１６】
前記ＩＯＬホルダコンテナは前記ＩＯＬを保持する前記ＩＯＬホルダを保持する、請求項１５記載のＩＯＬホルダコンテナ。
【請求項１７】
請求項１乃至１２の何れか１項に記載のＩＯＬ射出システムを用いて、ＩＯＬをＩＯＬ射出器に供給する方法であって、該方法は：
―  前記ＩＯＬホルダコンテナを開くステップと；
―  前記ＩＯＬを保持する前記ＩＯＬホルダをつかみ、前記ＩＯＬホルダコンテナからそれを取り出すステップと；
―  前記ＩＯＬ射出器の受容スペースの中に前記ＩＯＬを保持する前記ＩＯＬホルダを位置付けるステップと、を含む、方法。
【請求項１８】
請求項１１又は１２に記載のＩＯＬ射出システムを用いた、請求項１７記載の方法であって、該方法は：
―  前記別のコンテナを開くステップと；
―  ＩＯＬホルダコンテナのグリップ部分をつかむステップと；
―  前記ＩＯＬホルダコンテナを前記別のコンテナから取り出すステップと、を含む、方法。
【請求項１９】
ＩＯＬをユーザの眼に配置する方法であって、請求項１７又は１８記載の方法でＩＯＬ射出器にＩＯＬを供給する方法。
【発明の詳細な説明】
【技術分野】
【０００１】
本発明は眼内レンズ（ＩＯＬ）射出システムに関し、その射出システムは射出チャンネルを有するＩＯＬ射出と、そのＩＯＬを保持するＩＯＬホルダとを含む。
【０００２】
ＩＯＬの挿入については近年多くの発展が見られている。ＩＯＬは非常に柔軟なレンズであり、折り畳むことも広げることも容易にできる。実際、現在のＩＯＬは比較的小さいチューブの中に丸めることができる。このことは、眼球内に容易に挿入することを可能にして自然レンズを代替し、及び、自然レンズを矯正する為の追加的で人工的なレンズをも供給する。
【０００３】
こうしたタイプの折畳み可能なＩＯＬにとって、非常に多数のＩＯＬ射出システムが開発され、先行技術で知られている。幾つかの旧来のシステムでは、ＩＯＬはコンテナ内の滅菌液体中でパックされて供給されてきた。外科医はそのコンテナからＩＯＬを取らなければならず、例えば、ピンセットを用いて、それをカセットの中に置き、そのカセットを射出器に挿入し、そうして最終的に小さい切開を通してそれを眼球内に射出する。多くのこうしたシステムでは、ＩＯＬは開いた状態でカセット内に置かれる。そのカセットは射出器に供給される。続いて、プランジャーがそのＩＯＬをそのカセットから射出チャンネル内へ促し、そのＩＯＬはその射出チャンネル内で特別に成型された壁によって折り畳まれる。そして、その射出チャンネルは環状の断面を有する出口で出る。比較的小さい断面を有するこの環状出口を介して、折り畳まれた状態のレンズは眼球に入り、そこで最終的に開く。
【背景技術】
【０００４】
現在、様々なＩＯＬ射出システムが知られており、その射出システムはカセットを保持するコンテナを含み、そのカセットは滅菌環境でＩＯＬを既に保持している。そのカセットはその滅菌コンテナから取り出され、射出器内に置かれる。
【０００５】
例えば、ＵＳ２００２／００７７６３３（特許文献１）は挿入デバイス内の取り付け部に置くことができるレンズケースを開示する。使用においては、そのレンズはレンズケース上面に置かれ、レンズケース底面がそのレンズケース上面に置かれてそのレンズケースを完成する。そのレンズケースは貫通穴を有し、そのレンズケースが挿入デバイスに置かれるとその挿入デバイスのプランジャーが通過することを可能にする。そのプランジャーはレンズをレンズケースから外に出し、そのレンズは変形する。そのレンズは折り畳まれた状態でそのレンズケースから出る。
【０００６】
ＷＯ０３／０４９６４５（特許文献２）はＩＯＬ用のカセットと射出器とを開示する。そのカセットはＩＯＬを保管するよう供給され、空洞を備えたプラスチックのベース部分を有し、そうして、そのＩＯＬを開いた状態で保持し、プラスチックのふたがヒンジを介してそのベースに結合される。そのふたとベースはクリップを有し、ふたとベースとを一緒に保持する。そのカセットは更にフックを有し、カセットを射出器内に固定する。
【０００７】
ＣＨ６９９５８８（特許文献３）はカセットを含むＩＯＬ射出システムであって、そのカセットはＩＯＬを保持する空間と、そのカセットを閉じるふたとを含む。その空間は対向する開口部を有し、そうして、プッシュ・ロッドを通過し、そのプッシュ・ロッドはＩＯＬをその開口部の１つを通るよう促す。そのカセットはカセットを射出器内の空間へ連結する連結手段を有する。その連結によりそのカセットの射出位置内へのねじりが可能にする。そのアセンブリは多数の部分を有し、ＩＯＬを保持するカセットを位置付けるための比較的複雑なねじれ手段を要する。カセットをねじることにより遠心運動を生じ、ＩＯＬを放出することができる。
【０００８】
ＵＳ２００８／１４７０８２（特許文献４）は、ＩＯＬ射出器とＩＯＬを保持するＩＯＬホルダとを含むＩＯＬ射出器システムを開示する。そのＩＯＬホルダはＩＯＬ射出器内に供給することができる。ホルダ内のＩＯＬの保存と輸送のため、保存液体がそのＩＯＬホルダ内に供給される。ＩＯＬホルダが射出器内に供給されると、ＩＯＬホルダのシールが破け、保存液体は流れ出し、それは実用的でなく不純物を生じる。使用においては、そのシールは、そのホルダからＩＯＬの通路をブロックすることがあり、そのシールの部分がＩＯＬと共に人の眼球内に運ばれることがあり、これはたいへん好ましくない。
【０００９】
従って改善の余地がある。
【先行技術文献】
【特許文献】
【００１０】
【特許文献１】ＵＳ２００２／００７７６３３
【特許文献２】ＷＯ０３／０４９６４５
【特許文献３】ＣＨ６９９５８８
【特許文献４】ＵＳ２００８／１４７０８２
【発明の概要】
【発明が解決しようとする課題】
【００１１】
本発明の目的は構造が簡易なＩＯＬ射出器システムを供給することである。本発明の別の又は代替的な目的は、使用が容易であって、失敗を回避する改善されたＩＯＬ射出器システムを供給することである。
【課題を解決するための手段】
【００１２】
本発明の第１の側面によれば、本発明の目的は、ＩＯＬ（眼内レンズ）射出器システムにより実現され、そのシステムは、ＩＯＬ射出器と；ＩＯＬを保持するＩＯＬホルダと；そのＩＯＬを保持するそのＩＯＬホルダを保持するＩＯＬホルダコンテナと、を含み、そのＩＯＬ射出器は、射出器チャンネルと、そのチャンネルの下へ移動可能なプランジャーとを含み；及び、ＩＯＬホルダはそのＩＯＬホルダをスナップする受容スペースを有し、そのＩＯＬホルダはチャンネル部分が供給され、そのチャンネル部分を通って走る実質的にまっすぐなチャンネルを備え、そのＩＯＬホルダのそのチャンネルは、そのＩＯＬホルダがその射出チャンネルに沿ってそのＩＯＬ射出器の受け取りスペース内にスナップされるとき、そのＩＯＬ射出器の射出器チャンネルの部分を形成し、そのＩＯＬは、折り畳まれるとき、そのＩＯＬホルダのそのチャンネル内に供給され；そのＩＯＬの通過を可能にする対向する開口部は、動作中、そのプランジャーがＩＯＬをＩＯＬホルダの外へ、そして、その射出チャンネルを通って促すことを可能にし、そのＩＯＬホルダコンテナは保存液体を保持する容器を有し、そして、そのＩＯＬホルダはＩＯＬを保持し；そのＩＯＬホルダの対向する開口部を閉じるための容器内の閉壁と；及び、そのＩＯＬホルダを保持するための容器内の保持部を含む。
【００１３】
本発明のＩＯＬ射出システムでは、ＩＯＬホルダはとても簡易な構造である。ＩＯＬに損傷を与えることのあるＩＯＬホルダには移動部がない。実際に、ＩＯＬは操作される必要がなく、ＩＯＬはＩＯＬホルダチャンネル内にストレスの無い状態で供給され、そして、ＩＯＬホルダはＩＯＬ射出器の中に容易にスナップされる。保存と輸送の間、ＩＯＬはホルダとそのホルダのコンテナ内の保存液の内部で同じ環境に維持される。
【００１４】
一実施形態では、そのＩＯＬ射出器は射出端部を有し、その端部には射出ノズルとその射出ノズルの上流に折畳み手段とが備えられ、ＩＯＬを折り畳むか又はロールするために供給される。
【００１５】
一実施形態では、そのＩＯＬホルダは下流端面を有し、その端部の上流端面に適合し、そうして、連続的な射出チャンネルを実質的に供給する。
【００１６】
一実施形態では、そのＩＯＬホルダは位置決めカムを含み、そのＩＯＬ射出器内のスロットにフィットし、そうして、そのホルダ受容空間内の位置を定義する。
【００１７】
一実施形態では、そのＩＯＬホルダはそのチャンネルを備えたチューブ形状の部分を含む。
【００１８】
一実施形態では、そのチューブ形状の部分はまっすぐで平坦な端面を有し、及び、そのチューブ形状の部分から伸びるグリップ用のハンドルを有する。従って、ＩＯＬホルダは容易に位置決めされ、ＩＯＬ射出器に簡易に適合する。実際、まっすぐなチャンネルのためにＩＯＬホルダは容易に生産され、如何なるストレスも無くＩＯＬを保持する。
【００１９】
一実施形態では、そのＩＯＬ射出システムは、プランジャーの前で射出チャンネルでＩＯＬ射出器の受容空間の上流にスライディングして供給されるクッションを更に含み、そのクッションはソフトな弾性素材で作成され、一実施形態では、クローズド・セルのポリエチレン・フォーム、シリコン・ゴム、又は熱可塑性エラストマー（ＴＰＥ）であり、ＩＯＬホルダの実質的にまっすぐなチャンネルの横断面に適合する横断面を有し、動作中ＩＯＬをその射出チャンネルを通るようにする。クッションは実施形態の説明において更に述べられる。それはプランジャーを案内し、射出中のＩＯＬへの損傷を防止する。
【００２０】
一実施形態では、クッションには潤滑コーティング層が備わり、一実施形態では摩擦を低減する潤滑コーティング層である。従って、粘弾性液体の使用を低減したり、又は、不要とすることが可能になることもある。
【００２１】
一実施形態では、ＩＯＬ射出システムのＩＯＬホルダコンテナはグリップ部分を更に含み、そのグリップ部分はＩＯＬホルダが容器内の保持部分によって保持されるとき、ＩＯＬホルダコンテナの容器内に又はその容器から伸び、そのＩＯＬホルダコンテナはＩＯＬホルダのグリップ部分の反対側のその容器の指開口部を含み、そうして、そのグリップ部分へのアクセスが可能になる。
【００２２】
一実施形態では、ＩＯＬ射出システムのＩＯＬホルダコンテナには容器をシールするためのシールが備えられる。
【００２３】
一実施形態では、ＩＯＬ射出システムはＩＯＬホルダコンテナを保持する別のコンテナを含み、その別のコンテナは底面とその底面から伸びる壁を含み、そのＩＯＬホルダコンテナはその底面上のシールに寄掛かり、グリップ部分を有し、そのグリップ部分はそのシールの反対側に伸び、そうして、その別のコンテナに触れることなく、そのＩＯＬホルダコンテナをつかむことができる。
【００２４】
実際、ＩＯＬホルダコンテナとそのＩＯＬホルダコンテナ用のコンテナは、完全無菌条件下でＩＯＬホルダを扱うことを可能にし、操作中の不純物を回避する。他の部分の１つを扱う際には、その部分のどこにも触れる必要がない。
【００２５】
一実施形態では、ＩＯＬホルダコンテナは容器の周りにシーリングリムと、そのシーリングリムから下流に伸び、少なくともその容器の底面まで伸びる円周方向壁を含み、その容器の外側とその円周方向壁の内部表面との間のスペースを、ユーザの指がそのスペースの間で休めてその容器の外側をつかむほど充分に広くし、そして、その容器にＩＯＬホルダコンテナのグリップ部分を作る。
【００２６】
本発明は更に、ＩＯＬ射出システムの部分として説明されるＩＯＬ射出器、ＩＯＬホルダ、及び、ＩＯＬホルダコンテナに関連する。
【００２７】
本発明は更に、先行する請求項の何れか１つに記載のＩＯＬ射出システムを用いて、ＩＯＬ射出器にＩＯＬを供給する方法に関連し、その方法はそのＩＯＬホルダコンテナをオープンするステップと；ＩＯＬを保持するＩＯＬホルダをつかみ、それをＩＯＬホルダコンテナから取り出すステップと；ＩＯＬ射出器の受容空間にＩＯＬを保持するＩＯＬホルダを位置付けるステップとを含む。本方法は更に、別のコンテナをオープンするステップと；ＩＯＬホルダコンテナのグリップ部分をつかむステップと；その別のコンテナからそれを取り出すステップとを含んでもよい。
【００２８】
本発明はＩＯＬをユーザの目に配置する方法にも関連し、その方法はＩＯＬ射出器にＩＯＬを供給する方法を含む。
【００２９】
本発明は更に本明細書で説明する、及び／又は、添付図面で示される特徴構成の１つ又は複数を含む装置に関連する。本発明は更に本明細書で説明する、及び／又は、添付図面で示される特徴構成の１つ又は複数を含む方法に関連する。
【００３０】
本特許において述べられる様々な側面は追加的な効果を奏するために組み合わせることができる。さらに、そうした特徴の幾つかは１つ又は複数の分割出願の基礎を形成することができる。
【図面の簡単な説明】
【００３１】
本発明は添付の図面に示されるＩＯＬ射出システムの或る実施形態の幾つかの部分を参照して更に解明されるだろう。
【図１】図１はＩＯＬ射出器の斜視図であり、適当な位置にＩＯＬホルダを備え、ＩＯＬを眼に射出するよう準備される。
【図２】図２は図１の分解斜視図である。
【図３】図３は図２の一部の詳細図であり、ＩＯＬホルダを詳しく示す。
【図４】図４は図１の上面図である。
【図５】図５は、図４に表される縦の断面図である。
【図５ａ】図５aは、部分的な断面図での図５の詳細であるが、多少異なる実施形態である。
【図６】図６は図１の斜視図であり、ＩＯＬ射出器の半分が取り外されている。
【図７】図７は、図１のＩＯＬホルダに対するシール可能なコンテナの部分的な切り取り斜視図である。
【図８】図８は図７のＩＯＬホルダコンテナの上面図である。
【図９】図９はＩＯＬホルダコンテナを保持するコンテナである。
【発明を実施するための形態】
【００３２】
図１はＩＯＬ射出器２の斜視図を示し、そのＩＯＬ射出器はＩＯＬホルダ３を適切な位置に備え、ＩＯＬを眼に射出するよう準備される。ＩＯＬ射出器２には端部８が備えられる。それはＩＯＬ射出器２を操作するプッシュ・ロッド５を有し、そして、射出器２を保持するハンドル７を備えた射出本体６を有する。
【００３３】
図２は図１のＩＯＬ射出器の分解図を示す。図２には、ＩＯＬ射出器の構造がより明確に認められる。端部８には射出ノズル９が備えられ、射出器本体６の受容開口部１０にスナップすることができる。その受容端部１０には案内手段と、端部８の同様の手段と協働するスナップ・イン手段とが供給される。この図では、ＩＯＬホルダ３もより明りょうに認識できる。それは、ホルダ受容スペース１１内の射出器本体６にスナップされることができ、その方向は矢印で示される。さらに、ＩＯＬ４がＩＯＬホルダ３の隣に描かれる。プッシュ・シャフト５にはプランジャー２３が備えられ、そのプランジャーは射出器本体６の上下に移動可能なように形成され、そして、ＩＯＬ４をＩＯＬホルダ３から端部８の下へ更に進め、最終的にはノズル９を介して下流に進めるよう形成される。
【００３４】
図３はＩＯＬホルダ３と同様に射出器本体６の下流端部を詳しく示す。ホルダ受容スペース１１はＩＯＬホルダ３を受容するよう形成される。それは側面壁と底面壁、及び、ＩＯＬホルダ３のチューブ本体１４の周囲にスナップする反対のリム１２が供給され、そのＩＯＬホルダはホルダ受容スペース１１にスナップされるだろう。チューブ本体１４はホルダ受容スペース１１にしっかりと適合する。
【００３５】
チューブ本体１４には更にノッチ２４が備えられ、そのノッチはＩＯＬホルダ３が受容スペース１１にスナップされると開いたままである。従って、それはチャンネル１６へのアクセスを供給し、本明細書では約１ｍｍ平方である。従って、ＩＯＬ４を射出する前、潤滑液が、例えば粘弾性液体が当業者には知られているが、ＩＯＬ４の輸送と射出を容易にするよう加えることができる。
【００３６】
ホルダ受容スペース１１には更にスロット１３が備えられ、そのスロットはＩＯＬホルダ３のカム１９と協働し、そうしてＩＯＬホルダ３をホルダ受容スペース１１に正確に挿入するようにする。スロット１３の下流には、更なるカットが供給され、ホルダ受容スペース１１の端壁をスナップ・リップ（ｓｎａｐ  ｌｉｐｓ）として機能させ、チューブ本体１４の周りにスナップし、チャンネル部を形成する。
【００３７】
ＩＯＬホルダ３は下流の開口部１５と上流の開口部１７とを含むチューブ本体１４を有する。まっすぐなチャンネル１６はチューブ部分１４を通る。フィンガー・グリップ２０が供給され、チャンネル１６の横方向に延びてＩＯＬホルダ３の適切な操作を可能にする。再びＩＯＬ４は示され、矢印はそれがどのようにチャンネル１６に配置されるべきかを示す。チューブ部分１４には更に小さい反対側スロット又はノッチ１８が備えられ、ＩＯＬ４がＩＯＬホルダ３内に置かれたとき、特にＩＯＬホルダ３のチャンネル１６に置かれたとき、ＩＯＬ４がＩＯＬホルダから外に取り出せるように、及び／又は、必要ならピンサーによって操作できるようにする。
【００３８】
ＩＯＬホルダを射出器２の中へスナップする方法によるとても簡易なスナップと同様に、ＩＯＬホルダ３のとても簡易な構造が、ＩＯＬ４を眼に射出するとても簡易なＩＯＬ射出器アセンブリを供給する。そのとても簡易でまっすぐでオープンなチャンネル１６は、別のホールディング手段やＩＯＬを保持するための部分を有さず、ＩＯＬホルダ３をとても簡易に製作できる。さらに、ＩＯＬ４はチャンネル１６に完全に置かれたままの状態であり、チャンネル１６に位置するときは、如何なるストレスもＩＯＬ４には与えられない。この実施形態では、ＩＯＬホルダは或る射出成型部分として製作される。一実施形態では、ヒンジで一緒に動きＩＯＬホルダ３を形成する、２つの対称的な、又は、非対称的な部分を供給することが可能であり、或いは、２つの分離した部分が一緒にスナップされてもよい。
【００３９】
図４では、前の図のＩＯＬホルダ３を供えたＩＯＬ射出器２の上面図が示される。図５は図４に示されるように長手方向の断面を示す。その断面では、ＩＯＬホルダ３がホルダ受容スペース１１にどのように位置づけられ、まっすぐなチャンネル１６がどのように端部８のチャンネル２１と共に連続的なチャンネルを形成しているかを示す。さらにチャンネルを通ってプッシュ・ロッド２３を介して進むとき、端部８の中のチャンネル部２１は先細り形状で、ＩＯＬを折り畳む又は巻くための手段を有し、ＩＯＬを折り畳むかロールしてとても小さい折り畳まれたチューブ又はロールにし、ノズル９の実質的に環状の、又は、楕円形断面領域を通過することを可能にする。この図の縮尺は概ね１：１であることに留意すべきである。
【００４０】
射出器本体６には、プランジャー２３と受容スペース１１との間にソフトな弾性素材のソフトクッション２２が供給される。選択的な特性のため、そのソフトクッション２２はクローズド・セルのポリエチレン・フォーム、熱可塑性エラストマー（ＴＰＥ）、又は、シリコン・ラバーで製造され、好ましくは、図５ａの丸で囲まれた部分に示されるように、プランジャー・チップ２３に結合され、プランジャー２３とクッション２２との間の転置を防ぐ。図５はプランジャー２３に結合していないクッション２２を示す。一実施形態では、ＩＳＯ８４４標準規格に従って測定したとき、１０％圧縮に対するフォーム・クッションの強さは約１５と５０ｋＰａの間であり、好ましくは約３５ｋＰａに等しい。それは約５０％の圧縮比を有することができる。同じＩＳＯ標準規格によれば、そのフォームの強さは約８０と１５０ｋＰａの間にあり、好ましくは約１３０ｋＰａに等しい。
【００４１】
フォームの長手方向の伸張は、ＩＳＯ１９２６標準規格によれば、約４０と２７５％の間であり、好ましくは約２００％である。ＩＳＯ１９２６標準規格に従って測定すると、長手方向の張力の強さは約６００−８００ｋＰａであり、好ましくは約７００ｋＰａである。一実施形態では、熱可塑性エラストマー（ＴＰＥ）又はシリコンクッションの硬さは約５と４０の間のショアＡ硬度である。ＡＳＴＭ  Ｄ２２４０（４ｍｍ）ショアＡ又はＤのテスト方法による。
【００４２】
カートリッジ３又はＩＯＬホルダ３の中のクッション２２のスリップを改良するため、クッション２２には潤滑コーティング層を備えることができる。このコーティングは例えばＰＴＦＥのような低摩擦コーティングでもよいが、これに限定されない。クッション２２と場合によっては潤滑コーティングは、通常の滅菌方法、例えばエチレンオキシドによる滅菌と互換性がなければならない。
【００４３】
動作中は、クッション２２はチャンネルを通してＩＯＬ４を効果的に押すが、ＩＯＬ４に対する損傷を防止する。クッション２２はＩＯＬ４をＩＯＬホルダ３からチャンネル部分２１へ押し、ＩＯＬ４への損傷を防ぐように配置される。クッションの形状はチャンネル１６と実質的に同じである。実際は、その横断面はチャンネル１６にしっかりと適合するように形成され大きさが決められる。クッション２２は矩形の横断面を有することが可能であり、その断面はＩＯＬホルダ３のチャンネル１６の非矩形断面に適合するよう大きさが決められる。ソフトなクッション２２は、少しへこむので、ロッド２３の案内として更に機能し、そして、クッションは、チャンネル２１とノズル９とを通るようにＩＯＬ４を促すように力を分配することで、壊れやすいＩＯＬ４への損傷を防ぐ。
【００４４】
図６では、ＩＯＬホルダ３が適切に備えられたＩＯＬ射出器２の別の図が示され、この図では、ＩＯＬ射出器本体の半分が取り外され、内部のより明りょうな図が提供される。この図は、端部８がどのように射出器本体６の受容端部１０にスナップされるかを明確に示し、それはスロットとスナップ・イン部によって案内される。さらに、ＩＯＬホルダ３のチューブ部分１４がどのように受容スペース１１に適合するかを示す。実際には、チューブ部分１４は受容スペース１１の中にしっかりと適合する。
【００４５】
図７は、ＩＯＬホルダ３を適切な場所に備えたＩＯＬホルダコンテナ１００の一実施形態に係る図を示している。ＩＯＬホルダコンテナ１００の４分の１は切り取られ、内部のより明りょうな図が提供される。ＩＯＬホルダコンテナ１００は保存液とＩＯＬホルダ３とを保持する容器１０１を有する。そのＩＯＬホルダコンテナ１００は周方向のシーリングリム１０６を有し、実質的にフラットな面を供給し、そうして、シーリングシートを付着して容器１０１を閉じる。ＩＯＬホルダコンテナ１００は周方向の壁面１０７を更に有し、その壁面はシーリングリム１０６から下方に延びる。容器１０１は底面壁１０８と周方向側壁１０９とを有する。その周方向側壁１０９の外表面と、下方に伸びる周方向壁１０７の内表面との間には、指を置くのに充分な幅のスペースが供給される。実際には、このスペースは約５乃至１５ｍｍであろう。従って、容器１０１の外側はＩＯＬホルダコンテナのグリップ部分を形成する。
【００４６】
容器１０１は断面が実質的に十字形状の下方部分を有する。この十字形状下方部分の短い方のビームは、ＩＯＬホルダ３のチューブ部分１４を受容するように大きさが決められ形成される。実際には、壁１０３と１０４とはＩＯＬホルダ３のチューブ部分１４の周りにしっかりと適合するよう位置付けられ大きさが決められる。従って、ＩＯＬホルダ３はＩＯＬホルダコンテナ１００の中で適切な位置に保持される。容器１０１の十字形状の下方部分の長い方のビームは、追加的な保存液を供給する。
【００４７】
容器１０１の十字形状部分の短い方の横方向ビームは、反対側の端壁１０３を供給し、ＩＯＬホルダ３のチューブ形状部分１４の開口部を閉じる。さらに、十字形状の容器の４つの壁部分１０４は、容器１０１の中に保持部を供給し、そうして、グリップ部分２０を備えたＩＯＬホルダを保持し、そのグリップ部分は容器１０１の中に伸び、それをつかむために位置付けられる。
【００４８】
ＩＯＬホルダ３のグリップ部分２０を容易につかむため、容器１０１の中にグリップ部分２０の両側に指先形状の容器部分１０２が備えられ、ＩＯＬホルダ３がＩＯＬホルダコンテナ１００の容器１０１の中に位置付けられるとき、ユーザがＩＯＬホルダ３のグリップ部分２０を容易につかめるようになる。
【００４９】
図８は図７のＩＯＬホルダコンテナ１００の上面図を示す。それは部分的に剥がされるシーリング・フォイル１１０を示す。
【００５０】
図７のＩＯＬホルダコンテナ１００の上面図を示す図８では、容器１０１の十字形状の下方部分が明瞭に認識できる。再び、壁１０４は、ＩＯＬホルダ３の開口部を閉じる端壁１０３と共に、ＩＯＬホルダ３を保持する保持部を供給する。通常は、ＩＯＬホルダコンテナ１００はポリプロピレン（ＰＰ）の射出成型である。
【００５１】
図９は、ＩＯＬホルダコンテナ１００を保持するコンテナの、とても簡易且つ直接的な実施形態を示す。それは、熱可塑性素材のシートから深絞り加工を使用して製造されたパッケージ部分２００を含み、及び、底面壁２０２と周方向側壁２０３とが備えられた受容スペース２０１を含む。コンテナ・コンテナ２００は周方向のシーリングリム２０４を含み、そのシーリングリム上にはシーリングシート２０５がシールされ得る。使用中のＩＯＬホルダコンテナ１００は、底面壁２０２に基礎をおくシーリングシートにより、コンテナ・コンテナ２００の内側に配置される。
【００５２】
動作中、シーリングシート２０５は取り除かれ、外科医又はアシスタントが、無菌状態で、既に述べたように、容器１０１の外側をグリップすることにより、ＩＯＬホルダコンテナ１００を取り出す。そして、外科医又はアシスタントは、ＩＯＬホルダコンテナ１００の向きを変え、無菌状態でそのシール１１０を取り外す。従って、ＩＯＬホルダはグリップ部分２０を介して取り出されることができる。ＩＯＬホルダ３は射出器２の受容スペース１１内の場所にスナップされることができ、そして、可能な限り無菌の方法でＩＯＬを患者の目に射出する準備がなされる。
【００５３】
また、上記の説明と図面は本発明の幾つかの実施形態を例示するために含まれ、保護の範囲を限定するためではないことが明りょうになるだろう。本明細書から始まり、多数の実施形態が当業者には明らかになるだろうが、そうした実施形態は本発明の保護範囲と本質の範囲内であり、先行技術と本特許との明白な組合せである。
【図１】
2013536004.tif 000003
【図２】
2013536004.tif 000004
【図３】
2013536004.tif 000005
【図４】
2013536004.tif 000006
【図５】
2013536004.tif 000007
【図５ａ】
2013536004.tif 000008
【図６】
2013536004.tif 000009
【図７】
2013536004.tif 000010
【図８】
2013536004.tif 000011
【図９】
2013536004.tif 000012
【国際調査報告】
2013536004.tif 000013
2013536004.tif 000014
2013536004.tif 000015
2013536004.tif 000016